Podtech/llm-jp-corpus-v4-ja_patent huggingface dataset:
(57)【要約】【課題】従来のファスナー位置では内容量の多少に関わらず手指で広げ確認し取り出す必要があった【解決手段】ファスナーを斜めに取り付け開口することにより本体がトレー状にねじれ、開口部が広がり見やすくかつ、取り出しやすくなる。【選択図】図２
2005052590.tif 000002
【特許請求の範囲】
【請求項１】
長方体ペンケースの長辺部に対し対角線にファスナーを取り付ける。
【請求項２】
開口した時内容物の重みで、本体がねじれ開口部がトレー状に広がる。
【発明の詳細な説明】
【技術分野】
【０００１】本発明はペンケースのファスナー取付角度を本体長辺部に対し斜めに取り付けることにより、開口時の本体形状を内容物の重量とねじれによりトレー型に形状変化させる。
【背景技術】
【０００２】従来のペンケースにおいてファスナーは、開閉のみのパーツであった。
【発明の開示】
【発明が解決しようとする課題】
【０００３】従来のファスナー位置では、内容量が多少にかかわらず、開口部が狭いため内部が見えにくく取り出しにくかった。
【課題を解決するための手段】
【０００４】ファスナーを斜めに取り付けることによる、開口部の本体のねじれを利用しトレー型に広がり、内部を見やすく取り出しやすく、かつ散乱しない形状に変化させるものとする。
【発明の効果】
【０００５】本発明は内容物を多量に入れても、ファスナーの開口により本体が横に広がり内容物を確認しやすく取り出しやすくなっている。
【発明を実施するための最良の形態】
【０００６】本発明はペンケースの長辺部分の対角線方向にファスナーを取り付ける。
【実施例】
【０００７】図１はファスナー取り付け位置のずである。【０００８】図２はファスナー開口状態の図でファスナー取り付け位置から分離するようにねじれながらひろがっていく。
【図面の簡単な説明】
【０００９】
【図１】閉口状態を示した平面図である。
【図２】開口状態を示した平面図である。
【図１】
2005052590.tif 000003
【図２】
2005052590.tif 000004
(57)【要約】【課題】毛染め・ブリーチをする時に、仕上がりがムラにならず、根元まで染色・脱色が行える毛染め・ブリーチの補助具を提供する。【解決手段】両端に耳部のにげ４を設けたアーチ状の櫛１と、ゴム製の紐３を組み合わせる事によって、櫛が頭部に密着できる構造を備える。その櫛を髪の下側から入れ、首元から頭頂部にかけて等間隔に少しずつ移動させる。その都度、髪の毛を櫛の下側に沿って引き出す事により、少量の髪の毛が出てくる。そのため、根元からの染色・脱色を可能にした。また、細かく横一直線状に分けることが出来るため、ムラ無く仕上げられるものである。【選択図】  図１
2005052597.tif 000002
【特許請求の範囲】
【請求項１】
アーチ状になっている櫛の両端に伸縮性のあるゴム製の紐を付け、櫛を頭部に密着して固定することにより、髪の小分けが出来る毛染め・ブリーチ補助具。
【請求項２】
櫛においては、長く幅広で、歯は短く２列になっている構造である。
【発明の詳細な説明】
【発明の詳細な説明】
【技術分野】
【０００１】本発明は、頭部の毛染め・ブリーチのムラを無くすために、アーチ状の櫛とゴム製の紐を組み合わせて使用することにより、髪の毛を横一直線状に細かく分けられるようにしたものである。
【背景技術】
【０００２】従来、毛染め・ブリーチをする時は、ヘアクリップを用い髪の毛を部分的にまとめてから行うか、又は何も使用せずに行っていた。
尚、横一直線状に細かく分ける事ができ、毛染め・ブリーチを行えるものはなかった。
【発明が解決しようとする課題】
【０００３】毛染め・ブリーチをする時は、ヘアクリップを使用するなど様々な方法を用いても、髪を均一に小分けすることが出来なかった。そのため、仕上がりがムラになりやすく、髪の根元までの染色・脱色も困難であった。本発明は、この課題を解消するためになされたものである。
【課題を解決するための手段】
【０００４】アーチ状の櫛とゴム製の紐を組み合わせる事によって、櫛が頭部に密着する構造にした。又、その櫛を首元から頭頂部にかけて、等間隔に少しずつ移動させ、その都度、髪の毛を櫛の下側に沿って引き出す事により、根元からムラ無く毛染め・ブリーチが出来るようにした。
【発明を実施するための最良の形態】
【０００５】以下、本発明の実施の形態について説明する。
（イ）．アーチ状の櫛１には、短めの櫛の歯２を設ける。
（ロ）．アーチ状の櫛１の両端には、額に固定できる長さを持つゴム製の紐３を取り付ける。また、装着時、耳があたらないように耳部のにげ４を設ける。
【発明の効果】
【０００６】髪を細かく均一に分けることが出来るため、液が塗りやすくムラになりにくい。また、密着した櫛の下側に沿って髪を引き出す事により、髪の生え際がわかりやすくなり、根元までの染色・脱色がしやすい。
【図面の簡単な説明】
【図１】本発明の斜視図である。
【図２】本発明の正面図である。
【図３】本発明の使用状態を示す側面図である。
【符号の説明】
１  アーチ状の櫛
２  短めの櫛の歯
３  ゴム製の紐
４  耳部のにげ
【図１】
2005052597.tif 000003
【図２】
2005052597.tif 000004
【図３】
2005052597.tif 000005
(57)【要約】【課題】  ボックスにペーパーを収納できるペーパー収納つきボックスを提供する。【解決手段】  ペーパーボックス（１）の内部にペーパー収納部（３）を設けてボックスとペーパー収納を一体化したもので、ペーパー収納部にはティッシュペーパー及びトイレットペーパーどちらも収納出来ることを特徴とする。【選択図】  図１
2005052594.tif 000002
【特許請求の範囲】
【請求項１】
ペーパーボックス（１）をつくる。ボックス（１）の内部に仕切板（２）を取り付けて、ペーパー収納部（３）を設ける。ペーパー収納部（３）の側面に穴（４）をあける。ペーパー収納部（３）の蓋（５）をつくり、蓋（５）の中央に穴（６）をあける。
以上のように、ボックスとペーパー収納を一体化させたペーパー収納つきボックス。
【発明の詳細な説明】
【発明の詳細な説明】
【技術分野】
【０００１】  この発明は、ボックス（１）の内部にペーパー収納部（３）を設けて、ボックス（１）とペーパー収納部（３）を一体化したペーパー収納つきボックスに関するものである。
【背景技術】
【０００２】  従来、ボックスにペーパー収納が出来ない為に、ペーパー使用後の後始末に大変不便を感じていた。
【発明が解決しようとする課題】
【０００３】  これは次のような欠点があった。
従来は、ペーパー使用後はボックスを探すのに手間がかかっていて大変不便を感じていた。
本発明は、以上の欠点を解決するためになされたものである。
【課題を解決するための手段】
【０００４】  ボックス（１）をつくる。ボックス（１）の内部に仕切板（２）を取り付けてペーパー収納部（３）を設け、ボックス（１）とペーパー収納部（３）を一体化させる。ペーパー収納部（３）の側面に穴（４）をあける。そして、収納部（３）の上面に蓋（５）をつくり、蓋（５）の中央に穴（６）をあける。なお、ボックス（１）に蓋（７）をつくり、蓋（７）の中央に穴（８）をあける。
本発明は、以上のような構成よりなるペーパー収納つきボックスである。
【発明を実施するための最良の形態】
【０００５】  以下、本発明の実施の形態を説明する。
（イ）ボックス（１）の内部に仕切板（２）をとりつけて、ペーパー収納部（３）を設けて、ペーパーを収納する。
（ロ）ペーパー収納部（３）の側面に穴（４）をあけて、ティッシュペーパー取り出し口とする。
（ハ）ペーパー収納部（３）の上面に蓋（５）をつくり、蓋（５）の中央に穴（６）をあけて、トイレットペーパー取り出し口とする。従って、ボックスにペーパー収納部を設けてボックスとペーパー収納部を一体化したもので、ペーパー収納部にはティッシュペーパーまたトイレットペーパーを収納することができる。
本発明は、以上の構成よりなっている。
本発明を使用するときは、ペーパーボックス（１）に設けた収納部（３）にティッシュペーパーを収納できて、収納したティッシュペーパーは側面の穴（４）によってスムーズに取り出すことができる。また、ペーパーボックス（１）の収納部（３）にはトイレットペーパーも収納できて、上面の蓋（５）の穴（６）によってスムーズに取り出すことがてきる。従ってペーパー使用後の後始末は簡単である。
【発明の効果】
【０００６】  ペーパーボックスとペーパー収納が一体化されているために、ペーパー使用後はボックスにスムーズに捨てることができるので大変便利である。また、収納部にはティッシュペーパー及びトイレットペーパーを収納することができる。
従って、本発明を使用することでペーパー使用後はボックスを探す煩わしさから解消される。
【図面の簡単な説明】
【図１】本発明の斜視図
【図２】本発明の正面図
【図３】本発明の収納部の側面図
【図４】本発明の平面図
【図５】本発明の収納部の蓋の平面図
【図６】本発明のボックスの蓋の平面図
【符号の説明】
１  ペーパーボックス本体
２  仕切板
３  ペーパー収納部
４  収納部の側面の穴
５  ペーパー収納部の蓋
６  収納部の蓋の穴
７  ボックスの蓋
８  ボックスの蓋の穴
【図１】
2005052594.tif 000003
【図２】
2005052594.tif 000004
【図３】
2005052594.tif 000005
【図４】
2005052594.tif 000006
【図５】
2005052594.tif 000007
【図６】
2005052594.tif 000008
(57)【要約】【課題】靴を履いたとき、足の指先の状態が前づまりになっていないか、幅はあっているか、一目で把握できる上、靴購入時におけるサイズ判断や、子供の足の成長による靴の替え時の判断を容易にし、外反母趾などの足の病気から予防する靴を提供する。【解決手段】靴の中の面積が分かるように靴底を色分けすることを特徴とする。【選択図】図３
2005052593.tif 000002
【特許請求の範囲】
【請求項１】
靴のサイズ判断を容易又は、確実にする為に、靴の中の面積を、靴底を色分けすることで表現する。
【発明の詳細な説明】
【発明の詳細な説明】
【技術分野】
【０００１】本発明は、靴を履いたときの足の指の前づまりや幅を確認、予防したり、靴購入時における、靴のサイズ判断を容易又は、確実にする為に、靴の中の面積を、靴底を色分けすることで表現した、靴底の色分けに関するものである。
【背景技術】
【０００２】従来の靴では購入時に外から中の面積、特につま先部分の大きさが分からない。
【発明が解決しようとする課題】
【０００３】従来の靴では外から中の状態が見えない上、特に靴のつま先部分は、先芯の役割を果たす硬い素材を使っている為、靴の上から押してみても、足の指の位置の確認が確実に出来なかった。
特に子供用の靴の場合、大人は踵が入ってしまえば丁度良いと思ってしまい、子供は指先が少々曲がっていても、指と指が重なっていても、それをうまく訴えるすべを知らず、合わない靴を無理に履いているケースが非常に多かった。
このため足に合わない靴を無理に履き続けることにより、足の指などを圧迫する為、外反母趾や変形指という足の病気になる原因にもなっていた。本発明は、これらの欠点を解決し、足の状態を正確に把握するために発明されたものである。
【課題を解決するための手段】
【０００４】靴のサイズ判断を容易又は、確実にする為に、靴の中の面積が分かるように靴底を色分けすることで、課題を解決するものである。
【発明を実施するための最良の形態】
【０００５】靴の製造工程において、中の面積が分かるように靴底を色分けする。これにより靴購入時に靴底に足の裏を合わせることで、サイズ判断を容易にすることができる。
【発明の効果】
【０００６】靴の中の面積が分かるように靴底を色分けすることで、足の指先の状態が前づまりになっていないか、幅はあっているかを、足の裏を靴底に合わせるだけで一目で把握できるので、靴購入時におけるサイズ判断や、子供の足の成長による靴の替え時の判断を容易にし、外反母趾などの足の病気から予防することができる。
【図面の簡単な説明】
【図１】靴底を色分けし、中の面積が分かるようしてある。
【図２】靴と足を併せたところの側面図。
【図３】靴と足を併せたところの正面図。
【符号の説明】
１  靴。
２  靴の中の面積を表す部分。
３  足。
【図１】
2005052593.tif 000003
【図２】
2005052593.tif 000004
【図３】
2005052593.tif 000005
(57)【要約】【課題】愛する人の姿を棺桶の中に入れても見える様に透明な棺桶を提供する。【解決手段】棺桶の正面、側面、後面、上蓋、底面を透明な材料にしたことを特徴とする。【選択図】図１
2005052591.tif 000002
【特許請求の範囲】
【請求項１】
棺桶の中にいる故人を、いつでも、どこからでも、離れていても、見る事が出来る様にした透明な棺桶。
【発明の詳細な説明】
【技術分野】
【０００１】  本発明は、棺桶の材料を透明なものにしたものである。
【背景技術】
【０００２】  従来の棺桶は上蓋を取り外すか、上蓋についている小窓を開けて故人の顔を見る。
【発明の開示】
【発明が解決しようとする課題】
【０００３】  棺桶に入っている故人の顔を見たい時は、いちいち上蓋を外すか、上蓋についている小窓を開けて見なければならなかった。
本発明は、この問題点を解決するためになされたものである。
【課題を解決するための手段】
【０００４】  棺桶の材料を透明なものにする事にした。
【発明の効果】
【０００５】  棺桶の中の故人を、いつでも、どこからでも、離れていても見る事が出来る。
【発明を実施するための最良の形態】
【０００６】  本発明の実施の形態について説明する。
棺桶の  （１）前面  （２）後面  （３）右側面  （４）左側面  （５）上蓋  （６）底面の材料を透明なものにする。
【産業上の利用可能性】
【０００７】
【図面の簡単な説明】
【０００８】
【図１】本発明の斜視図
【符号の説明】
【０００９】１  前面
２  後面
３  右側面
４  左側面
５  上蓋
６  底面
【図１】
2005052591.tif 000003
(57)【要約】      （修正有）【課題】  絵画を描く際に必要なイーゼルは、どの美術関係の教室でも必要なものであるが、収納と、取り扱いに不便な古いタイプのものを使用している場合が少なくない。そこで、イーゼル自体の構造を改善して、収納と、実用に便利なイーゼルを提供する。【解決手段】  三脚式の古いタイプのイーゼルでは、後ろを支える脚が取り付け部分で損傷する例も多く発生し、折りたたみした場合でもかさばり、収納にも不便なので、構造を変更し、折りたたみ時の本体は、板一枚の厚さの逆さのＴ字型になるよう計画した。このことにより、掛け金による脚の開き止めも不要になり、キャンバスなどを載せる横板の取り付けと高さの調節も、別部品を伴わないで容易に行えるようにした。【選択図】図１
2005052600.tif 000002
【特許請求の範囲】
【請求項１】
イーゼル本体の折りたたみ機構
【請求項２】
キャンバスなどを載せる台板の取り付け機構
【発明の詳細な説明】
【発明の詳細な説明】
【技術分野】
【００１】  この発明は、旧来のイーゼルにはない構造をもちいて、より使いやすく、より収納にも適したイーゼルに関するものである。
【背景技術】
【００２】  これまでの三脚式イーゼルは、折りたたみ式のものであっても、その構造と形状から、かさばり、収納に困難で、折りたたみ脚の部分が壊れやすいなどの欠点をもっていた。また、キャンバスなどを載せる台板（以下省略して台板と記載）の取り付けと高さ調節は、台板そのもの以外にねじが必要だったり、本体穴に挿す杭棒などが必要で、若干面倒なものであった。これらの解決のために登場したのが、今日最新のデザインといわれる「フラットイーゼル」であった。
【発明が解決しようとする課題】
【００３】  本発明は「フラットイーゼル」と同じ目標ではあるが、よりコンパクトに収納できるための構造と形状を新たに工夫するとともに、脚の開きすぎを防止するための掛け金も不要なものとしたい。また、台板の取り付けがしっかりしていながら別部品を用いることなく取り付け、取り外しも簡単で高さ調節も可能な構造のものを追求したい。
【課題を解決するための手段】
【００４】  コンパクトに折りたためるために、本体の基本構造は平行な二本の柱としての板材とし、その間に後ろを支える脚部を大小２対のロッドによって立体的に移動させて納める形状をとりたい。なぜならその構造は同時に、台板の取り付けが、高さにかかわらず同じ方法で良いということであり、高さ調節がシンプルな機構で済むことを意味している。すなわち取り付けには別部品が不要なことと、重量がかかれば外れにくい構造を持ち込むことも可能になったのである。
【発明を実施するための最良の形態】
【００５】  本体の平行な二本の柱の間から後ろを支える脚部を引き出すときには大小２対のロッドによるので、上部のロッドが下部のロッドの半分程度の長さであれば、下部のロッドが最大に外側に開いたときに、上部ロッドの先端は脚部収納時の正反対の側にまで回りこむことができる。そしてそれ以上回転しないようにしておけば、本体の反対側へ上部ロッドの軸が突き抜けないということであり、それは後ろを支える脚部が外へ開いて踏んばる形ということになるのでイーゼル本体の脚部を安定させるという大切な機能をはたすものとなるのである。しかもこの方式によって開脚するということは、脚部の開きすぎを防止するためにこれまでのイーゼルが取り付けていた掛け金も不要だということなのである。
本体の二本の柱の下部は、床面と平行になった柱材に直角に接合してあるが、この両隅下部にゴム板を貼り付けておけば、三点で接地する三脚式のイーゼルと結果としては同じなので安定した状態で立てることができる。
台板の取り付けは、開脚して立てたイーゼル本体正面に向かって台板をどちらかに直角に回転させ、台板に接合された金具部分を本体の平行な二本の柱の間を通過させた後、台板の手前を持ち上げながら水平に戻し、二本の柱の背面にあけられた高さ調節と固定のための穴を選んで金具の左右の先端を挿し込む。最後に台板の奥側を本体の二本の柱に密着させて台板表面を柱と直角にすると完了。
実際に使用するときは台板上のキャンバスなどの重みにより、一層しっかりと固定されるので、通常は重さによって台板が外れることは考えられない。
組み立てはこれだけなので別部品は不要なのである。
【発明の効果】
【００６】  本発明は収納の点を中心に考えられたものなので、折りたたんだ場合の形状は逆さまのＴ字形で、これまでになくコンパクトになり、厚みは本体の柱の板厚だけである。本棚に本を納めるようにスムーズに狭い空間にも収納できる。さらに、イーゼルとして使用の際は掛け金をかける必要もなく、台板の取り付けや高さの調節も簡単であり、別の部品も必要としないなど、フラットイーゼルに勝るとも劣らない進化である。このイーゼルの登場は更なる収納性を求める美術関係者に広く歓迎されるであろう。
【図面の簡単な説明】
【図１】イーゼル本体の斜視図
【図２】イーゼル本体の収納時と展開時の操作説明図
【図３】台板の形状の斜視図
【図４】台板を本体に取り付ける操作手順説明図
【図１】
2005052600.tif 000003
【図２】
2005052600.tif 000004
【図３】
2005052600.tif 000005
【図４】
2005052600.tif 000006
(57)【要約】      （修正有）【課題】ラン藻の採集方法およびその利用方法を提供する。【解決手段】光合成原核微生物であるラン藻をモルデナイト、ゼオライト凝灰岩で濾過抽出する方法を提供する。水道水をモルデナイト、ゼオライト凝灰岩で濾過抽出し、濾過液を日光に当てつつ約1ヶ月循環しラン藻を増殖する。増殖したラン藻を、ダイオキシン、トリハロメタン、農薬等の分解に利用して持続的な環境汚染浄化に活用する。また、ラン藻の光合成を水質の改善にも利用することができる。【選択図】なし【特許請求の範囲】
【請求項１】
光合成原核微生物である「ラン藻」をモルデナイト、ゼオライト凝灰岩から摘出するもので、普通の水をその凝灰岩で濾過することにより、その水の中にラン藻を誘い出す（抽出）ことを特徴とする採集方法。
【発明の詳細な説明】
【発明の詳細な説明】
【技術分野】
【０００１】  一般に、ラン藻は水中以外では、その存在が証明出来がたいので水の循環濾過装置を用いて採集増大を意図する。
【背景技術】
【０００２】  光合成作用の条件である「光・水・温度」が整わないとラン藻は仮死状態であり活動しないため、水とその循環装置を用い光と温度を与えラン藻の活動条件を整えた。【０００３】地球上の何処にでもいるとされるラン藻（菌）だが、その存在の証明が明確でないので、この方法によればラン藻の採集が容易で増殖、時間などが短縮できると共に存在の証明ができる。【０００４】  ラン藻については、今までは学者等による研究実験が主であったが最近の環境汚染が問題視されるようになった現在では、産業界を始め一般住民が積極的に取組む時代になってきた。
【発明が解決しようとする課題】
【０００５】  化学物質等の利用で社会環境の改善に取組んできた現在、自然の生態系は完全に崩れてしまった。
これからは、元の自然生態系に戻すため「微生物（ラン藻）など」を利用しなければならない。
【課題を解決する為の手段】
【０００６】  本発明にかかるラン藻水は、ラン藻の最も特徴とする力「二酸化炭素を使って大気中に酸素を放出する」を借り環境汚染の浄化と調和のとれた生態系を戻すための手段である。
【０００７】  ラン藻は、ダイオキシン・トリハロメタン農薬等の分解する働きがある。
また、光合成により水質（クラスターを小さくする）を変えることもできるので人間生活には重宝な存在となる。
【実施例】
【０００８】  市町村の水道水を、この凝灰岩で濾過したら一般細菌が４０，０００（基準は１００以下）になった。【０００９】  ラン藻を瓶に入れ日光に当てたら２、３日で周囲に気泡ができた。【００１０】  濾過水を、そのまま循環して一ケ月位経過した時に細長い「藻」が生えた。【００１１】  上記の「藻」を大学教授が検査したところ「ラン藻」であることが判明した。
【濾過方法】
【００１２】  容器（四角い透明の８リットル入れ）に水を張り、これを凝灰岩を入れた循環装置で濾過する。
【００１３】  初めは濁ることもあるが、暫らくすると（２、３時間）澄む。
【００１４】  容器えの給排水は濁らないようにする。
【発明の効果】
【００１５】  先カンブリア代の「ラン藻」を容易に甦らせ、持続可能な環境の浄化に大量利用できる。
【００１６】  あらゆる生物には「水」が必要条件で化学物質のない水は、生物総てに有益であると共に二次元作用（牛乳・卵など）にも利用できる。
【図面の簡単な説明】
2005052132.tif 000002
【図１】
2005052132.tif 000003
【図２】
2005052132.tif 000004
【図３】
2005052132.tif 000005
【図４】
2005052132.tif 000006
(57)【要約】【課題】  金魚をペットとして飼った時，水のよごれが一番大変です。なんとか水のよごれになやまされない方法がないかと，日頃思い悩んでいました。手間や電気代も少なく，金魚によい環境をと，いろいろ工夫を重ねました。【解決手段】  結果，麦飯石と底辺に設置したスポンジの効果がすばらしくよごれを全く気にする必要がなくなりました。装置ですが金魚鉢６の底にふさわしい密閉された容器１を設け一方底辺によごれた水の通水口３を左右に設け，一方には自然に上水してたまる筒４を設けます。容器の中に麦飯石２を入れ，よごれた水の通水口にはよごれを吸着するスポンジ３を取付けます。自然上水した水をたくわえる筒より揚水装置５を使って水を汲上げ，水を巡回させる物です。【選択図】  図２
2005052133.tif 000002
【特許請求の範囲】
【請求項１】
金魚鉢の底にふさわしい密閉された容器をつくり，一方によごれた水の通水口を底辺左右に設け，一方には自然上水した水をたくわえる筒を設け，容器の中に麦飯石を入れる。
【請求項２】
よごれた水の通水口によごれを吸着するスポンジを取り付ける。
【発明の詳細な説明】
【発明の詳細な説明】
【発明に属する技術分野】
【０００１】  本発明は容器の中によごれを閉じこめ麦飯石のもつ力，気孔が沢山有ることにより細菌の働きによりよごれを分解し，きれいな水に変えるものである。よごれた水の通水口にとりつけたスポンジには底辺左右に取付けたことで，よごれが付きやすくよごれを簡単に取除くことができる。
容器底辺左右に取付けた通水口から自然上水した水を汲上げ巡回させるだけなので電気代は割安である。
【背景技術】
【０００２】  従来は金魚鉢の中間付近によごれを吸着するスポンジを取付けたり水の上に揚水し，それを網又は活性炭，サンゴ等の上を通し浄水していたが，いずれも手間がかかり電気代も多くかかった。
【発明を実施するための最良の形態】
【０００３】  本発明は，容器中によごれを閉じこめ麦飯石の力，細菌の働きによりよごれを分解し，きれいな水に変えるもので図で説明いたしますと，容器１に麦飯石２を入れ容器の底辺左右に設置した通水口３から自然上水をたくわえる筒４から揚水装置５を用い，水を巡回させるものです。容器底辺左右に取付けた通水口のスポンジには比較的大きなよごれが吸着します。
【発明の効果】
【０００４】  本発明は，細菌によりよごれをきれいにするもので，水の交換は必要がなく，蒸発により少なくなった分だけ足すだけでよい。掃除の回数は極端に少なくなり，麦飯石の入った容器を１ヶ月に１回位ゆすってやる。容器の底辺左右に取付けたスポンジはよごれが付き次第，専門のはさみで簡単に取付け取外しができる。
【図面の簡単な説明】
【図１】金魚鉢と浄水器の正面図
【図２】金魚鉢と浄水器の断面図
【符号の説明】
１  麦飯石を入れる容器
２  麦飯石
３  通水口とよごれを吸着するスポンジ
４  自然上水をたくわえる筒
５  揚水装置
６  金魚鉢
【図１】
2005052133.tif 000003
【図２】
2005052133.tif 000004
(57)【要約】【課題】卵を切断してその内容物を取り出す時、金属製刃物の使用はその１部が欠損してその金属片が混入する危険があった。【解決手段】刃物による切断に変えてレーザー光線で切断することにより刃物の欠損と言う事故は１００パーセント解決される。【選択図】図１
2005052131.tif 000002
【特許請求の範囲】
【請求項１】
卵の黄身、及び白身を取り出すことを目的にその上部のみをレーザー光線にて切断するのを特徴とする轄卵装置．
【請求項２】
レーザー光線にて卵を切断する時その焦点距離を卵の大小に関係無く強制的に且つ自動的に合わせるのを特徴とした請求項１記載の轄卵装置．
【発明の詳細な説明】
【発明の詳細な説明】
【０００１】卵の搬送を目的に円錐状のコブ、図１中（イ）を向かい合わせに配したサイドコンベアー図１中（Ａ，Ｂ）を加工しようとする卵を乗せ一定ピッチにて間歇送りする、その上面にレーザー光線発生用ヘッド（ロ）、切断済み卵上面皮殻の排出を目的とする吸着パッド（ヌ）を取り付けた移載装置、及び切断済み卵内容物吸引用吸引パッド図２中（リ）を配した。  又その下部には支柱（Ｆ）をガイド上下運動を可能に取り付けた持ち上げプレート（Ｅ）  持ち上げプレートには持ち上げパッド（ホ）、（ヘ）、（ト）を配し持ち上げパッド（ト）は（Ｄ）により回転可能にした持ち上げプレート（Ｅ）は（Ｃ）エアーシリンダーの伸縮により上下動をおこなう。持ち上げパッドにより持ち上げられた卵はその上に配したガイド板に押し付けられることによりレーザー照射焦点（Ｚ）を構成できる。レーザー光線を発射させて、点（Ｚ）を、（Ｄ）により１回転させることにより卵上面を輪切り状に切断させる。  切断完了後持ち上げプレートを下降させ、後、１ピッチ送りさせ（ヌ）により輪切りされた卵上面の皮殻はとりのぞかれる、上記動作完了後さらに１ピッチ送りさせ、（リ）により卵内容物を吸引する、この動作を連続して繰り返すように構成された装置は、本発明を証明する。
【技術分野】
【０００２】        この発明は、従来の轄卵装置はその皮殻部分を刃物にて切断する為その刃物の金属片が欠損した時製品である卵内容物に混ざりこむ危険を孕んでいたのを刃物に替えレーザー光線にて切断しようとする装置である。
【背景技術】        従来の轄卵機にて取り出された卵の内容物は上記危険を孕む為金属探知機等、により安全を再確認する必要があった．
【発明の開示】
【発明が解決しようとする課題】
【０００３】しかしながら、従来の技術によれば、金属探知機を通す為に攪拌作業が必要となり、その為卵の品質の低下を招いている．  そこで、この発明は、刃物に取って代わりレーザー光線を使用する事により安全な卵を提供することを課題とする。
【課題を解決するための手段】
【０００４】  以上の課題を解決するために、第一発明は、刃物に代わりレーザー光線を使用したことを特徴とする轄卵装置である．  また、第二発明は、レーザー光線を使用しようとする時、その焦点距離を合わせるのが問題として又、卵の大小が混在した時その焦点合わせに問題があった．
【発明の効果】
【０００５】  第一発明、または第二発明によれば、卵の切断するにおいて刃物の使用を取りやめてレーザー光線を使用している為金属片の混入を１００パーセント無くし、安全な卵を供給出来る。
【図面の簡単な説明】
【０００６】
【図１】この発明を表す装置の平面図である。
【図２】この発明を表す正面図である。
【符号の説明】
【０００７】Ａ，Ｂ、製品である卵を間歇送りする為の搬送装置イ、搬送装置のサイドベルトに取り付けた円錐形状の突起であり、これにより卵の姿勢を安定させて搬送させる。ロ、レーザー光線発生のヘッドハ、卵切断皮殻の廃棄シュートニ、卵位置規正ガイド
【０００８】Ｃ，持ち上げ用エアーシリンダーＤ，回転用駆動源Ｅ，持ち上げプレートＦ，ガイド軸ホ、伸縮機能付卵持ち上げパッドヘ、伸縮機能付卵持ち上げパッドト、伸縮機能付卵持ち上げパッド付回転軸チ、パッドリ、卵中身吸着管ヌ、卵切断皮殻吸着パッド点Ｚ、レーザー光線焦点
【図１】
2005052131.tif 000003
【図２】
2005052131.tif 000004
(57)【要約】［課題］  詰め替え不要のスーパー用ワンタッチ使い捨て買い物袋を提供する［解決手段］  従来のスーパーの使い捨て買い物袋の詰め替え作業を必要とする課題を、スーパーの篭にすっぽりはまる形状に変更し、持ち手部分を横から縦に変更する事により、かなりの重量に耐える強度を有し、篭に添った形から商品の入れやすさも兼ね備えている形状の袋にすることにより解決した。従来にない和の発想による構造のためぱっと広がり、さっと篭にはまるという利便性を持っている。本発明はスーパーの篭に比する大きさとその折方と接着箇所にポイントがある。【選択図】  図３
2005052163.tif 000002
【特許請求の範囲】
形状
スーパー側が提供するワンタッチの「詰め替え不要の使い捨て買い物袋」として、ワンタッチですっぽりはまる利便性と、商品の入れやすさ、形状から生まれる強度、程よいプライバシーの保護性を兼ね備えたその袋の形状。素材はやはり現状のポリエチレンが適している。
【請求項１】
利便性
本発明は、顧客にとって袋の紐をさっと結んで、詰め替えの必要もなくさっと帰れるという利便性があると同時に、店員にとってもさっと一振りで紙風船の如くぱっと広がり、さっと篭にはまるという利便性を有する。商品を入れる際の多少の配慮は必要とするものの人手と時間の負担にはいたらない。この利便性は、図の１〜３に示されるように篭に比する大きさとその折方と接着箇所にポイントがあり実現しえた。
【請求項２】
商品の入れやすさ
本発明の買い物袋は、底部より上部が広いスーパーの篭に沿う形状で商品を入れやすいものとなっている。
【請求項３】
強度
図２に示すように、一枚のものを箱型に収める際の、だぶつき部分を折り返した所が持ち手の補強になるような多重構造になり、袋全体の重量が均等に持ち手に伝わるようになっている。従来のレジ袋同様強度が高まる構造といえる。持ち手の二辺の接着部分は三角形の重複合成接着だがそこがちょうどグリップの部分にあたるため外れる危険性は全くない。
【請求項４】
プライバシーの保護と安心性
篭の高さの三分の一の長さを周囲に設けることで（図それを折り返し自然に上部を覆う事になり、商品の落下を防ぐと同時に、程よく視線を遮る役割をはたしている。            図１の山型部分から符号８の部分も、上部をカバーして結ぶかテープ止めによって大きく内容物を保護する。
【請求項５】
買い物袋から生ごみ袋として再利用
焼却しても有毒ガスを発生しないポリエチレンという素材である点、半透明もしくは透明性の低い点、あるいは、その大きさから推察できる重量の点からも、生ゴミ袋として再利用に向いている。
【発明の詳細な説明】
【０００１】
［従来の技術］
形状‥従来のスーパーの袋は円筒状の袋を左右で折りたたんだもので上下で接着切断するといういたってシンプルな工程による低コストですむもの。しかも、持ち手部分が二重構造で重さに強く、大小の大きさも調整しやすい。また、マチの深さにより荷幅が変えられる。（長所）
スーパーの篭は画一的大きさだが、従来のスーパーの袋はこの篭の大きさとは全く違い、客にレジ精算後の詰め替え作業を余儀なくさせている。（課題）
素材‥従来の発明は塩化ビニールが主流だったが数年前より大気汚染の問題から塩化ビニールは焼却するとダイオキシンを発生する事が一般的に知られ、現在では焼却しても有毒ガスを発生する事のないポリエステルが多く使われるようになってきている。
【０００２】
［従来の発明］
スーパーでのレジ精算後の詰め替え作業は健常者にとっては何気ない一連の日常行動でしかないのだが、一部の身障者や老年者、幼少の子供を連れた主婦、多量のまとめ買いの家族連れ、又単身赴任者などにとっては、詰め替え作業が不要となるのは、時に時間的にも労力的にもある種、助けになる。忙しい主婦にとってもそれは同様で、スーパーに個人が持ち込む「詰め替え不要の袋」についての考案も、これまでに二点見られる。
出願番号    ：実用新案出願平４−４５１４６出願日  ：１９９２年５月１９日
公開番号    ：実用新案公開平６−３００５４公開日  ：１９９４年４月１９日
出願人      ：杉原  美由紀                考案者  ：杉原  美由紀
考案の名称  ：スーパーマーケット用買い物袋
2005052163.tif 000003
要約：
【目的】この実用新案はスーパーマーケットで使用されている買い物かごにピッタリかぶせられる形状の買い物袋に関するものである。
【構成】（イ）底部５が広く、
【図１】の如くスーパーマーケットの買い物かごの内に添わせて入れることができる。
（ロ）
【図１】の如く、スーパーマーケットの買い物かごの外側まで折り返しができる。
（ハ）横ひも２が付いている（ニ）防水性があり、折りたたむとコンパクトになる材質である。
出願番号    ：実用新案出願２０００−３９３３出願日：２０００年５月１日
登録番号    ：登録実用新案第３０７２９３４号登録日：２０００年８月１６日
実用新案権者：中野  忠章                  考案者  ：中野  忠章
考案の名称  ：詰め替え不要の買い物袋
2005052163.tif 000004
要約：
【目的】精算の済んだ品物を、店備え付けのかごから、袋またはバッグへの入れ替えが不要になる買い物袋を提供する。
【構成】布製の袋（１）の両端上部に芯（２）を取り付け、その中央部にフックを設けたことを特徴とする。
【０００３】
［発明が解決しようとする課題］
従来の技術の形状のところで述べたように、従来のスーパーの袋は、そのマチの深さや大小の違いは色々あるものの発想は円筒形のものを接着切断したという「洋」の発想、つまり「洋」はスカート的発想の産物である。それに対して本発明は「和」の発想による、日本古来の風呂敷、紙風船、折り紙に習うものであり、一枚の科学的素材から「和」の発想を経て、従来の袋では横のマチの部分しか存在しえなかった持ち手部分を、縦の部分に変更する事に成功した。それが詰め替えを不要にし、ここに独自性がある。
【０００４】
［発明の効果］
顧客にとっては、詰め替え不要である点、これは時間的にも労力的にも省力化をもたらすことが出来る。しかも持ち込みいらずで、携帯する必要もない。店の側から本発明品を採用して使用した場合の効果をいえば、顧客の多様な要求に応じる事で、まず店の魅力（イメージ）をアップする事が出来ると同時に、売り出し日の売り上げアップが見込め、客の回転率の増加、詰め替え台の混雑の解消、又は繁雑事の店員の削減、果ては空きスペースの確保につながる。
【図面の簡単な説明】
【図１】本発明に係る見開き図
【図２】スーパーの篭にはめた時の側面図
【図３】スーパーの篭にはめた時の斜め上方から見た図
【符号の説明】
１…谷折り
２…山折り
３…底面
４…側面
５…折り返し部分（多重構造）
６…持ち手部分
７…グリップ部分
８…結び（テープ止め）部分
９…接着箇所
１０．１１…上部カバー部分
【図１】
2005052163.tif 000005
【図２】
2005052163.tif 000006
【図３】
2005052163.tif 000007
(57)【要約】【課題】本発明は、排便後にお尻を拭く塵紙挟持具である。【解決手段】塵紙挟持体は、上挟持体１０と下挟持体２０を支軸３０で回動可能に形成してあり、上挟持体１０と下挟持体２０の対応する挟着部５０が形成してある。【選択図】        図３
2005052171.tif 000002
【特許請求の範囲】
【請求項１】
上挟持体と下挟持体を支軸で回動可能にし、前記上挟持体と下挟持体で挟着部を形成することを特徴とする塵紙挟持具。
【請求項２】
挟着部には突部が形成してあることを特徴とする請求項１の塵紙挟持具。
【請求項３】
突部の端部の形状は球状であることを特徴とする請求項２の塵紙挟持体。
【発明の詳細な説明】
【０００１】
【発明の属する技術分野】
本発明は、排便後にお尻を拭く塵紙挟持具に関する。
【０００２】
【従来の技術】
従来、排便後のお尻は、塵紙で処理をするか、或はジェット水で洗浄後に塵紙を用いて、残っている水を拭いている。即ち、何れも、手に持った塵紙で処理をしている。
【０００３】
【発明が解決しようとする課題】
前記塵紙での処理は、痩せた人なら難なくこなせるが、例えば、相撲取りのように太った人、身体が不自由な人、神経痛等を患っている人等にとっては、お尻まで手が届かず、難儀をしている。
そこで、かかる不都合を解消する排便後のお尻の処理を容易に行うことができる塵紙挟持具を提供するものである。
【０００４】
【課題を解決するための手段】
請求項１の塵紙挟持体は、上挟持体と下挟持体を支軸で回動可能に形成してあり、上挟持体と下挟持体の対応する挟着部が形成してある。
そこで、上挟持体と下挟持体を支軸で互いに異なる方向に回動すると、挟着部は開くので、塵紙をその挟着部に挟み込む。そして、上挟持体と下挟持体を支軸で前記と逆方向に、上挟持体と下挟持体が重なり合うまで回動して、塵紙を挟着部で堅固に挟む。この状態で、上挟持体と下挟持体の端部をもつことにより、お尻に届いて処理をすることができる。
【０００５】
又、請求項２の塵紙挟持体は、挟着部に突部が形成してあるので、容易に塵紙を挟持することができる。
又、請求項３の塵紙挟持体は、突部の端部の形状は球状（楕円状を含む）であるので、塵紙は突部に食い込み状態にはならず、処理が終了後に、上挟持体と下挟持体を支軸で開く方向に回動すると、処理後の挟んでいる塵紙を離脱させることができる。
【０００６】
【発明の実施の形態】
本発明の一実施の形態を図面を参照して説明する。図１（Ａ）は平面図、図１（Ｂ）は底面図、図２（Ａ）は正面図、図２（Ｂ）は背面図、図２（Ｃ）は右側面図、図２（Ｄ）は左側面図である。又、図３（Ａ）、（Ｂ）は塵紙挟持具の斜視図である。
上挟持体１０と下挟持体２０は、ほぼ同じ長さの平板であり、ステンレススチール、合成樹脂、竹、木材等、種々の材質で形成可能である。尚、前記適宜の長さは、後述するお尻の処理をするに当たって、上挟持体１０と下挟持体２０を重ねた状態における端部を手にもって、お尻に届いて処理が可能な長さであり、使用する人によって異なる。
【０００７】
前記上挟持体１０と下挟持体２０は、支持棒３０で重ね合わせてあり、上挟持体１０と下挟持体２０は前記支持棒３０でそれぞれ回動可能である。
又、前記上挟持体１０と下挟持体２０が重なり合う端部には、挟着部が形成してある。この挟着部は、単に、平坦状であっても、塵紙を挟着することができる。
しかし、より塵紙を堅固に挟着するためには、上挟持体１０と下挟持体２０の端部に形成の挟着部５０には、相対する位置に突部５０ａ、５０ｂが適宜の間隔で形成してある。即ち、突部５０ａ〜突部５０ｂ〜突部５０ａ〜突部５０ｂ…の順に配列形成してある。
【０００８】
この突部５０ａ、５０ｂの形状は、円錐状、角錐状等、塵紙を挟み込めばよいので種々の形状が考えられるが、塵紙が突部５０ａ、５０ｂに食い込み状態にはならない球状（楕円状を含む）が望ましい。
この球状の突部５０ａ、５０ｂは、処理が終了後に、上挟持体１０と下挟持体２０を、各々、支持棒３０を支点に開く方向に回動すると、処理後の挟んでいる塵紙を容易に離脱させることができる作用がある。
【０００９】
前記機構の塵紙挟持具の使用方法について説明すると、先ず、上挟持体１０と下挟持体２０を支持棒３０を支点に回動して開く。そして、塵紙を挟着部５０の突部５０ａ、５０ｂに挿入し、上挟持体１０と下挟持体２０を支持棒３０を支点に回動して閉じて、塵紙を挟持する。次に、この塵紙挟持具の端部をもって、お尻の方に挿入して、お尻を拭いた後に、上挟持体１０と下挟持体２０を支持棒３０を支点に開くと、挟持している処理後の塵紙は、容易に突部５０ａ、５０ｂから離脱して便器内に落ちる。
そのため、この塵紙挟持具を使用すると、処理後の塵紙を見ることなく処理ができる。尚、前記挟着部５０の突部の形状は、波形、三角等種々の形状であってもよい。
【００１０】
【発明の効果】
請求項１の塵紙挟持体は、上挟持体と下挟持体を支軸で回動可能に形成してあると共に挟着部が形成してあり、この挟着部に塵紙を挟持することによって、お尻に届いて処理をすることができる。
又、請求項２の塵紙挟持体は、挟着部に突部が形成してあるので、容易に塵紙を挟持することができる。
又、請求項３の塵紙挟持体は、突部の端部の形状は球状（楕円状を含む）であるので、塵紙は突部に食い込み状態にはならず、処理が終了後に、上挟持体と下挟持体を支軸で開く方向に回動すると、処理後の挟んでいる塵紙を離脱させることができる。
【図面の簡単な説明】
【図１】（Ａ）は塵紙挟持体の平面図、（Ｂ）は底面図である。
【図２】（Ａ）は正面図、（Ｂ）は背面図、（Ｃ）は右側面図、（Ｄ）は左側面図である。
【図３】（Ａ）（Ｂ）は斜視図である。
【符号の説明】
１０  上挟持体
２０  下挟持体
３０  支持棒
５０ａ、５０ｂ  突部
【図１】
2005052171.tif 000003
【図２】
2005052171.tif 000004
【図３】
2005052171.tif 000005
(57)【要約】  ［課題］    入歯でも噛める柔らかい肉がほしい。日本の畜産は、アメリカに頼る政府の政策によって死殆してしまった。遙か地球の裏側から冷凍して運んで来る所為で干からびてしまう。肉は地産地消に限る。それを雛鳥で叶えて見たい。  ［解決手段］    採卵鶏の雄雛鳥や採肉鶏の雛鳥の屠体中抜きを開いた形にして、串を差したりして、塩または垂れを以て焼いた、ブロイルドチキンと呼ぶことにする、雛鳥の開き焼き。【選択図】  なし。【特許請求の範囲】
【請求項１】
採卵鶏の雄雛鳥や採肉鶏の雛鳥の屠体中抜きを開いた形にして、串を差したりして、塩または垂れを以て焼いた、ブロイルドチキンと呼ぶことにする、雛鳥の開き焼き。
【発明の詳細な説明】
【発明の詳細な説明】
私は、歯が入歯で、食事の度に大変苦労している。最近は、牛肉から鳥肉まで柔らかいものがなく、私は、今や、肉飢餓状態にある。
そこで、思い付いたのが、採卵鶏の雄雛を昔の雀の開き焼きのようにして売れば宜しいことに気付いた。
そこで、統計を開いて見ると、雄雛鳥は、年間３３００万羽までであることが判った。これでは、全く商売にならない。その雄雛鳥も供給して貰えるものは貰って、新規に、本発明専用に、肉用種などの中から、適当な品種を選んで、雛鳥を生産しなくてはならないことに気付いた。国民が１週間に１羽食するとして、年間約６８億羽も生産しなくてはならない。
それを、家庭用にも焼鳥店ようにも、広く生産処理して供給したい。また、私自身もこの専門焼鳥店を全国的にまた全世界的にも展開したい。
現在、我国の肉類の自給率（平成１２年度）は、牛肉３３％（平成４０年度９５％）、豚肉５７％（１００％）、鶏肉６４％（９７％）であり、近年著しく低下している。これを、魚介類で補っているかと見ると、これも５３％（１１０％）に大幅に落ちている。動物性蛋白質の自給率の改善は、今や、最も切迫した国民自身の務めである。
今日、何もかも、規制開放政策のもたらす過当競争によって、全て利益率が極度に低下し、政治献金の出来るところがない。それどころか、逆に同和対策などの各種対策を当てにして生きようとする者ばかりであった。
その中で、パチンコ産業は、外人産業の雄であるが、そのため直接的には産業対策は受けられなかったので、新規業者の参入を緩和でき、シェアの維持が比較的に容易で、好利益率を維持しえた。そこに、我国の政治家が寄生することになり、終には、それが大事となって、日本の公共組織と企業組織が、大袈裟に言えば、外人に支配される状況になってしまっている。
この事態から政治と経営に日本を取り返すには、それら第三国人化した政治家と経営者を国民的努力で以て追放し、そう言う拘りのない自律自立性に充ちた新しい政治家と経営者を選び出す努力を国民挙げてしなくてはならない。
国内において外人企業に日本人企業が競り負けることほど日本と日本民族にとって悲しむべきことはない。その意味で、規制と企業配置の適正化ほど自国経済に重要なことはないのである。我国の鎖国政策やアメリカのモンロー政策が階級制を維持強化した弊害は認められるべきであるが、そのカースト性を破るためと称して、革命的開放政策を国家財政で以て急激に展開すると、民族は下剋上に次ぐ下剋上の連続の時代となり、経済力は完全に疲弊し、何もかも自給力は低下して、そのバトルから比較的に遠い存在の内外の外国資本の国盗りに会い、重税から始まる大変な収奪の目に会うことになる。
今正に、日本はこの事態に直面しており、虎口を如何にして脱出するべきかが現実に直面している事実に基づいて臆することなく勇気を以て語り合われなくてはならない。
真正正銘の日本人による日本企業がどんなに小さくても宜しいから自力で以て徐々に段々広く日本に興って来ることが何より自立国家奪還の基本である。政府に望むことは、それらに金を蒔くことではない。それらが努力に努力して集める知能と資金が水平同和主義の餌食となって何ら成果を結ぶことなく暴力的に盗奪されないように、例えば、新治安維持法のようなものを制定し、私権の保護と適正公務員に綱紀粛正して行くなどの法的人事的措置を早急に着手して貰いたいことである。この上、また、金を撒いて、人心と経済の破綻をなお追加するようなことが絶対に再炎しないよう務めて貰いたい。
昨日の「日本経済新聞」を見ると、衆院選の予想顔ぶれが載っているが、与野党共に、もう半世紀以上もの古い水平同和時代の顔が依然として居座ろうとしているらしい。直接的な審判を受けない比例区には、なかなか見当たらないのかも知れないが、努力に努力をして、兎に角これまでの時代の思想に否定的であって泥に塗れていない人たちを探し求める尽力をしてもらいたい。一言で言えば、日本人の国籍と顔を持った日本人でない「第三国人」を絶対に日本の政党が推薦候補としてはならないと言うことである。何故ならば、私などは、このように、６７年間と言う半世紀を遙かに上回るそれは長い期間、ありとあらゆる努力をして自分の生計を立てる尽力をしているのは勿論であるが、「永井の夢はみんなの夢そして人類の夢」たる精一杯の働きをしているにも拘らず、生きて行く上で身に付けなくてはならない全ての言葉の文化や知恵や２０００年に及ぶ年々歳々の投資の代償である広大な農地までそしてこのような数々の発明に至まで全てのものを盗み取られたり盗み取ろうとされ続けるばかりで、一円の対価も貰ったことはない。
にも拘らず、電波に乗って、自分は「朝鮮人だ」と国民の総てに向かって悪を舞えと犯罪を連日煽り続ける「元首相や首相になりたい者や大臣たち」が中には８０歳を遙かに越えてもなお公認されようとしている。
殆どの政党が国民の納税の上に成り立っている国の助成を受けるようにお手盛りして受け取っているが、その政党が、「国と国民」を顧みることなく「第三国人」然として、国益を妨害し国民生活を破壊低下させるように活動する者たちを公認候補としてその政党助成金を以て選挙資金援助することは、法理論上あってはならないと考える。そう言う者は、自己の結社の資金で以て選挙資金を賄い、自己の顔と経歴で以て投票を受けるべきである。こう言う「低級な政治家」はどうしたことか戦前に引っ掛かりを持っている者に多い。戦前の東亜（支那、朝鮮）東南亜（ミャンマー、タイ、ベトナム、ラオス、カンボジア、マレーシア、シンガポール、フィリピン、インドネシア、ブルネイ）への侵出と何らかの関係があった者たちのように思える。
何らの生産活動もせず「国盗り」で以て然も支配者面をして国民の働きを税で以て搾り取りどこかの国に蓄財する国際的盗賊団政治家にモラルハザードされて非人化してしまうより、どんなに艱難辛苦の中にもがき苦しんでも、自己に与えられた生活環境の中でやくざ政治家に酷税され続ける庶民のほうが道徳的精神的には遙かにプライドが持てる。
そう言う意味で、私のこの発明も世界的に莫大に人間性を喪失するよう政治的な艱難辛苦を強いられてはいるが、まだ人間として健康な精神を持ち続けている多くの庶民に健全な働く場を与えうるものと信じて疑わない。
世界中の地域地域に生産拠点を建設して、それらを中心に、「ケンタッキーフライドチキン」に負けない信用を「Ｍ．ＮａｇａｉＢｒｏｉｌｅｄＣｈｉｃｋｅｎ」の暖簾で普く広め、その庶民の期待に応えたい。
(57)【要約】【目的】酸性白土及びベントナイト及び／または天然ゼオライトより成る組成物を動物に経口的に投与することにより、優れた軟便予防効果及び／または消臭効果及び／または発育促進効果を持つ動物用飼料組成物を得る。【構成】酸性白土及びベントナイト及び／または天然ゼオライトより成る組成物を動物に経口的に投与すると、著しい軟便予防効果及び／または消臭効果及び／または発育促進効果が得られる。【特許請求の範囲】
【請求項１】
酸性白土及びベントナイト及び／または天然ゼオライトより成る軟便予防効果及び／または消臭効果及び／または発育促進効果を持つ動物用飼料組成物。
【発明の詳細な説明】
【技術分野】
【０００１】本発明は酸性白土及びベントナイト及び／または天然ゼオライトより成る軟便予防効果及び／または消臭効果及び／または発育促進効果を持つ動物用飼料組成物に関する。
【背景技術】
【０００２】軟便の予防には給水制限、また、消臭方法としては、消臭剤を畜舎等の環境に散布している。発育促進の目的には抗生物質や合成抗菌剤を動物の飼料に添加して広く用いられている。
【発明の開示】
【発明が解決しようとする課題】
【０００３】しかし，給水制限は家畜の発育に悪影響を与え実用的でない。また、消臭剤散布は糞便臭を根本から消臭しないし手間暇がかかる。そして抗生物質や合成抗菌剤は投与した動物の筋肉や臓器に残留し，食品としては衛生上問題となっている。
本発明は，実用的で簡便に軟便予防、消臭効果を得、残留性の無い発育促進効果を得る事を目的とする。
【課題を解決するための手段】
【０００４】本発明者らが種々検討した結果，酸性白土及びベントナイト及び／または天然ゼオライトより成る飼料組成物を飼料に添加して投与することにより，軟便予防効果及び／または消臭効果及び／または発育促進効果のあることを見出した。
本発明は上記知見に基づいて完成されたものである。
即ち，本発明は酸性白土及びベントナイト及び／または天然ゼオライトより成る軟便予防効果及び／または消臭効果及び／または発育促進効果を持つ動物用飼料組成物に関する。
【発明の効果】
【０００５】酸性白土及びベントナイト及び／または天然ゼオライトより成る本発明の軟便予防効果及び／または消臭効果及び／または発育促進効果を持つ動物用飼料組成物は，動物に経口投与することにより明らかな軟便予防効果、消臭効果、発育促進効果が得られる。
【発明を実施するための最良の形態】
【０００６】本発明で用いられる酸性白土は食用油脂の脱色の目的で使われている天然食品添加物である。また、人の下痢治療薬として局方に収載されている天然ケイ酸アルミニウムと同一物質である。
本発明で用いられるベントナイトは農薬の基剤、医薬品のパップ剤の基剤として使われている。また、飼料の賦形剤、ペット用猫砂として使われている。本発明で用いられる天然ゼオライトは土壌改良剤、混合飼料として使われている。【０００７】本発明の組成の一つである酸性白土は原土を採掘し、乾燥後、粉砕したものである。本発明の組成の一つであるベントナイトは原土を採掘し、乾燥後、粉砕したものである。本発明の組成の一つである天然ゼオライトは原土を採掘し、乾燥後、粉砕したものである。本発明の動物用飼料組成物は酸性白土、ベントナイト、天然ゼオライトを混合したものであり、混合方法に限定はない。【０００８】本発明の動物用飼料組成物における酸性白土、ベントナイト、天然ゼオライトの配合比率は酸性白土５０部に対しベントナイト１部〜９９部及び／または天然ゼオライト１部〜９９部、好ましくは酸性白土５０部に対してベントナイト１０部〜９０部及び／または天然ゼオライト１０部〜９０部である。【０００９】本発明の動物用飼料組成物の動物への投与量は体重ｋｇ当たり１０ｍｇ〜５００ｍｇ，好ましくは３０ｍｇ〜３００ｍｇである。【００１０】本発明の動物用飼料組成物は，そのまま経口投与しても良く，製剤化して投与しても良い。また飼料に添加混合しても良く，その場合の動物用飼料への添加量は０．０１％〜５％，好ましくは０．０５〜１％である。【００１１】本発明の動物用飼料組成物の投与対象動物としては，豚，牛，羊，馬，犬，猫等の家畜，鶏，七面鳥，アヒル，ホロホロ鳥等の家禽，ハマチ，タイ，エビ，フグ，ヒラメ，ギンザケ等の養殖水産動物があげられる。
【実施例】
【００１２】酸性白土（日本活性白土（株）製）２５０ｋｇ、ベントナイト（三立砿業（株）製）１５０ｋｇ、天然ゼオライト（日東粉化工業（株）製）１００ｋｇを粉体混合機（大脇工業（株）製）に投入し、３０分攪拌混合して本発明の動物用飼料組成物を製造した。
【実験例】
【００１３】次に，本発明物の作用について実験例により示す。
ブロイラー雌ヒナ（アーバーエーカー種）４日令を１区５羽で群飼育し，実施例で得た本発明飼料組成物を飼料に０．１％添加し，１６日間の飼養試験を行なった。比較のため各組成原料のみを０．１％添加した区も設けた。
試験軟便予防効果については、終了時の鶏舎床の蓄積糞便の状態を肉眼的に観察した。消臭効果については，試験終了時に採糞し，パネラーの官能試験により糞便臭の強度を検討した。試験期間中の体重，飼料摂取量を計測し，増体量，飼料要求率を算出し，発育促進効果の確認を行なった。
その結果，軟便予防効果は表−１に示すように糞便の状態が正常化し、本発明の動物用飼料組成物の軟便予防効果が認められた。消臭効果は表−２に示されるように糞便の臭いが軽減し，消臭効果が認められた。発育は表−３示されるように発育促進効果が示された。
2005052126.tif 000002
2005052126.tif 000003
2005052126.tif 000004